【手続補正書】
【提出日】平成28年4月21日(2016.4.21)
【手続補正１】
【補正対象書類名】特許請求の範囲
【補正対象項目名】全文
【補正方法】変更
【補正の内容】
【特許請求の範囲】
【請求項１】
第１端に設けられた尖端と、第２端に設けられた頭部とを有しており、ベース軸部径を有する軸部を備える留め具であって、
前記軸部は、
第１有効径を有する第１螺旋ねじ山を備える第１領域と、
前記第１領域に形成されるとともに、第２有効径を有する第２螺旋ねじ山を備える小領域と、を備えており、
前記軸部の前記第１領域は第１軸部径を有しており、
前記第１螺旋ねじ山は、前記第１軸部径に対して第１高さを有しており、
前記小領域は第２軸部径を有しており、
前記第２螺旋ねじ山は、前記第２軸部径に対して第２高さを有しており、
前記頭部は、
上部と、
切断構造と、を備えており、
前記切断構造は、前記上部及び前記軸部と交わるように配置されている
留め具。
【請求項２】
前記切断構造は、前記上部と交わる４つの壁によって形成された四角形状の断面を有し、
各壁は、隣接する壁に対してまっすぐなエッジにより画定される
請求項１に記載の留め具。
【請求項３】
前記切断構造は、前記上部と交わる４つの壁によって形成された四角形状の断面を有し、
各壁は、隣接する壁に対して弓形のエッジにより画定される
請求項１に記載の留め具。
【請求項４】
各弓形のエッジは、前記軸部と交差する点から前記上部と交差する点までの間が８分の１回転となるように構成されている
請求項３に記載の留め具。
【請求項５】
下面は、前記上部より前記下面から離れる方へと伸びる４つのベースエッジをさらに備えており、
前記ベースエッジは、前記壁のうちの一つの中間部に交わる第１端を有しており、
前記ベースエッジは、前記第１端から前記上部のエッジまで伸びている
請求項２〜４のいずれか一項に記載の留め具。
【請求項６】
前記第１領域から離間して形成されるとともに、第３有効径を有する第３螺旋ねじ山を有する第３領域をさらに備えており、
前記軸部の前記第３領域は第３軸部径を有しており、
前記第３螺旋ねじ山は、前記第３軸部径に対して第３高さを有する
請求項１〜５のいずれか一項に記載の留め具。
【請求項７】
前記第１領域は、前記軸部の前記第１端に隣接して配置され、
前記小領域は、前記第１領域内に配置され、
前記第３領域は、前記第１領域と前記切断構造との間に配置されている
請求項６に記載の留め具。
【請求項８】
前記第１有効径と前記第２有効径の比率が１．３〜１．０５の範囲内にあること、
前記第１有効径と前記第３有効径の比率が１．３〜１．０４の範囲内にあること、
前記第１軸部径と前記第２軸部径の比率が１．２５〜１．０５の範囲内にあること、
前記第２軸部径と前記第３軸部径の比率が０．９５〜０．７５の範囲内にあること
のうち少なくとも一つを含む
請求項７に記載の留め具。
【請求項９】
第１端に設けられた尖端と、第２端とを有しており、ベース軸部径を有する軸部と、
前記第２端に設けられた頭部と
を備える木製ねじ式留め具であって、
前記軸部は、
前記尖端に隣接して前記第１端に形成され、第１有効径を有する第１螺旋ねじ山を備える第１螺旋ねじ山領域と、
前記第１螺旋ねじ山領域に形成されるとともに前記第１端に隣接しており、第２有効径を有する第２螺旋ねじ山を備える小領域と、を備えており、
前記軸部の前記第１螺旋ねじ山領域は第１軸部径を有しており、
前記第１螺旋ねじ山は、前記第１軸部径に対して第１高さを有しており、
前記小領域は第２軸部径を有しており、
前記第２螺旋ねじ山は、前記第２軸部径に対して第２高さを有しており、
前記頭部は、
円盤と、
切断構造と、を備えており、
前記切断構造は、前記円盤の底面及び前記軸部と交わるように配置されているとともに、前記円盤と交わる４つの壁によって形成される四角形状の断面を有する
木製ねじ式留め具。
【請求項１０】
各壁は、隣接する壁に対してまっすぐなエッジにより画定される
請求項９に記載の留め具。
【請求項１１】
各壁は、隣接する壁に対して弓形のエッジにより画定される
請求項９に記載の留め具。
【請求項１２】
各弓形のエッジは、前記軸部と交差する点から前記円盤と交差する点までの間が８分の１回転となるように構成されている
請求項１１に記載の留め具。
【請求項１３】
前記第１螺旋ねじ山領域から離間して形成されるとともに、第３有効径を有する第３螺旋ねじ山を有する第３螺旋ねじ山領域をさらに備えており、
前記軸部の前記第３螺旋ねじ山領域は第３軸部径を有しており、
前記第３螺旋ねじ山は、前記第３軸部径に対して第３高さを有する
請求項９〜１２のいずれか一項に記載の留め具。
【請求項１４】
前記第１有効径と前記第２有効径の比率が１．３〜１．０２の範囲内にあること、
前記第１有効径と前記第３有効径の比率が１．３〜１．０２の範囲内にあること、
前記第１軸部径と前記第２軸部径の比率が１．２５〜１．０２の範囲内にあること、
前記第２軸部径と前記第３軸部径の比率が０．９５〜０．７５の範囲内にあること
のうち少なくとも一つを含む
請求項１３に記載の留め具。
【請求項１５】
前記第１有効径と前記第２有効径の比率が１．３〜１．０２の範囲内にあり、
前記第１有効径と前記第３有効径の比率が１．４〜１．０２の範囲内にあり、
前記第１軸部径と前記第２軸部径の比率が１．２５〜１．０２の範囲内にあり、
前記第２軸部径と前記第３軸部径の比率が０．９５〜０．８５の範囲内にある
請求項１３に記載の留め具。
【請求項１６】
第１尖端と第２頭部端とを備えており、ベース軸部径を有する軸部と、
第１有効径を有する第１螺旋ねじ山を有する点に隣接して前記第１尖端に形成された第１螺旋ねじ山領域と、
前記第１尖端に隣接して前記第１螺旋ねじ山領域内に形成された第２螺旋ねじ山の小領域と、
前記第１螺旋ねじ山領域から離間されるとともに、前記第２頭部端と前記第１螺旋ねじ山領域との間に形成された第３螺旋ねじ山領域と、
前記第２頭部端に設けられた頭部と
を備え、
前記軸部の前記第１螺旋ねじ山領域は第１軸部径を有しており、
前記第１螺旋ねじ山は、前記第１軸部径に対して第１高さを有しており、
前記第２螺旋ねじ山は第２有効径を有しており、
前記小領域における前記軸部は第２軸部径を有しおり、
前記第２螺旋ねじ山は、前記第２軸部径に対して第２高さを有しており、
前記第３螺旋ねじ山領域は、第３有効径を有する第３螺旋ねじ山を備えており、
前記軸部の前記第３螺旋ねじ山領域は第３軸部径を有しており、
前記第３螺旋ねじ山は、前記第３軸部径に対して第３高さを有しており、
前記頭部は、
円盤と、
切断構造と、を備えており、
前記切断構造は、前記円盤の下面及び前記軸部と交わるように配置されているとともに、前記円盤と交わる４つの壁によって形成される四角形状の断面を有する
留め具。
【請求項１７】
各壁は、隣接する壁に対してまっすぐなエッジによって画定される
請求項１６に記載の留め具。
【請求項１８】
各壁は、前記軸部と交差する点から前記円盤と交差する点までの間が８分の１回転となるように構成された弓形のエッジによって画定される
請求項１６に記載の留め具。
【請求項１９】
前記第１有効径と前記第２有効径の比率が１．３〜１．０３の範囲内にあること、
前記第１有効径と前記第３有効径の比率が１．４〜１．０３の範囲内にあること、
前記第１軸部径と前記第２軸部径の比率が１．２５〜１．０２の範囲内にあること、
前記第２軸部径と前記第３軸部径の比率が０．９５〜０．７５の範囲内にあること
のうち少なくとも一つを含む
請求項１６〜１８のいずれか一項に記載の留め具。
【請求項２０】
前記下面は、前記円盤より前記下面から離れる方へと伸びる４つのベースエッジをさらに備えており、
前記ベースエッジは、前記壁のうちの一つの中間部に交わる第１端を有しており、
前記ベースエッジは、前記第１端から前記円盤のエッジまで伸びている
請求項１６〜１９のいずれか一項に記載の留め具。
【手続補正２】
【補正対象書類名】明細書
【補正対象項目名】００３８
【補正方法】変更
【補正の内容】
【００３８】
発明特定事項を、特に構造的な特徴及び／又は方法論的な行為について言語で説明したが、添付のクレームにおいて定義された発明特定事項は、上記の特定の特徴や行為に必ずしも限定されないことが理解される。むしろ、上記した特定の特徴や行為は、クレームを実施する例として開示されるものである。
以下の項目は、国際出願時の請求の範囲に記載の要素である。
（項目１）
第１端に設けられた尖端と、第２端に設けられた頭部とを有しており、ベース軸部径を有する軸部を備える留め具であって、
前記軸部は、
第１有効径を有する第１螺旋ねじ山を備える第１領域と、
前記第１領域に形成されるとともに、第２軸部径を有する第２螺旋ねじ山を備える小領域と、を備えており、
前記軸部の前記第１領域は第１軸部径を有しており、
前記第１螺旋ねじ山は、前記第１径に対して第１高さを有しており、
前記小領域は第２軸部径を有しており、
前記第２螺旋ねじ山は、前記第２径に対して第２高さを有しており、
前記頭部は、
上部と、
切断構造と、を備えており、
前記切断構造は、前記上部及び前記軸部と交わるように配置されている
留め具。
（項目２）
前記切断構造は、前記上部と交わる４つの壁によって形成された四角形状の断面を有し、
各壁は、隣接する壁に対してまっすぐなエッジにより画定される
項目１に記載の留め具。
（項目３）
前記切断構造は、前記上部と交わる４つの壁によって形成された四角形状の断面を有し、
各壁は、隣接する壁に対して弓形のエッジにより画定される
項目１に記載の留め具。
（項目４）
各弓形のエッジは、前記軸部と交差する点から前記上部と交差する点までの間が８分の１回転となるように構成されている
項目３に記載の留め具。
（項目５）
下面は、前記上部より前記下面から離れる方へと伸びる４つのベースエッジをさらに備えており、
前記エッジは、前記壁のうちの一つの中間部に交わる第１端を有しており、
前記ベースエッジは、前記第１端から前記上部のエッジまで伸びている
項目３に記載の留め具。
（項目６）
前記第１領域から離間して形成されるとともに、第３の有効径を有する第３螺旋ねじ山を有する第３領域をさらに備えており、
前記軸部の前記第３領域は第３軸部径を有しており、
前記第３螺旋ねじ山は、前記第３径に対して第３高さを有する
項目１に記載の留め具。
（項目７）
前記第１領域は、前記軸部の前記第１端に隣接して配置され、
前記小領域は、前記第１領域内に配置され、
前記第３領域は、前記第１領域と前記切断構造との間に配置されている
項目６に記載の留め具。
（項目８）
前記第１有効径と前記第２有効径の比率が１．３〜１．０５の範囲内にあること、
前記第１有効径と前記第３有効径の比率が１．３〜１．０４の範囲内にあること、
前記第１軸部径と前記第２軸部径の比率が１．２５〜１．０５の範囲内にあること、
前記第２軸部径と前記第３軸部径の比率が０．９５〜０．７５の範囲内にあること
のうち少なくとも一つを含む
項目７に記載の留め具。
（項目９）
第１端に設けられた尖端と、第２端とを有しており、ベース軸部径を有する軸部と、
前記第２端に設けられた頭部と
を備える木製ねじ式留め具であって、
前記軸部は、
前記尖端に隣接して前記第１端に形成され、第１有効径を有する第１螺旋ねじ山を備える第１螺旋ねじ山領域と、
前記第１領域に形成されるとともに前記第１端に隣接しており、第２有効径を有する第２螺旋ねじ山を備える小領域と、を備えており、
前記軸部の前記第１領域は第１軸部径を有しており、
前記第１螺旋ねじ山は、前記第１径に対して第１高さを有しており、
前記小領域は第２軸部径を有しており、
前記第２螺旋ねじ山は、前記第２径に対して第２高さを有しており、
前記頭部は、
円盤と、
切断構造と、を備えており、
前記切断構造は、前記円盤の底面及び前記軸部と交わるように配置されているとともに、前記円盤と交わる４つの壁によって形成される四角形状の断面を有する
木製ねじ式留め具。
（項目１０）
各壁は、隣接する壁に対してまっすぐなエッジにより画定される
項目９に記載の切断構造。
（項目１１）
各壁は、隣接する壁に対して弓形のエッジにより画定される
項目９に記載の留め具。
（項目１２）
各弓形のエッジは、前記軸部と交差する点から前記円盤と交差する点までの間が８分の１回転となるように構成されている
項目１１に記載の留め具。
（項目１３）
前記第１螺旋ねじ山領域から離間して形成されるとともに、第３の有効径を有する第３螺旋ねじ山を有する第３螺旋ねじ山領域をさらに備えており、
前記軸部の前記第３領域は第３軸部径を有しており、
前記第３螺旋ねじ山は、前記第３軸部径に対して第３高さを有する
項目１２に記載の留め具。
（項目１４）
前記第１有効径と前記第２有効径の比率が１．３〜１．０２の範囲内にあること、
前記第１有効径と前記第３有効径の比率が１．３〜１．０２の範囲内にあること、
前記第１軸部径と前記第２軸部径の比率が１．２５〜１．０２の範囲内にあること、
前記第２軸部径と前記第３軸部径の比率が０．９５〜０．７５の範囲内にあること
のうち少なくとも一つを含む
項目１３に記載の留め具。
（項目１５）
前記第１有効径と前記第２有効径の比率が１．３〜１．０２の範囲内にあり、
前記第１有効径と前記第３有効径の比率が１．４〜１．０２の範囲内にあり、
前記第１軸部径と前記第２軸部径の比率が１．２５〜１．０２の範囲内にあり、
前記第２軸部径と前記第３軸部径の比率が０．９５〜０．８５の範囲内にある
項目１３に記載の留め具。
（項目１６）
第１尖端と第２頭部端とを備えており、ベース軸部径を有する軸部と、
第１有効径を有する第１螺旋ねじ山を有する点に隣接して前記第１尖端に形成された第１螺旋ねじ山領域と、
前記第１端に隣接して前記第１領域内に形成された第２螺旋ねじ山の小領域と、
前記第１螺旋ねじ山領域から離間されるとともに、前記頭部端と前記第１螺旋ねじ山領域との間に形成された第３螺旋ねじ山領域と、
前記頭部端に設けられた頭部と
を備え、
前記軸部の前記第１領域は第１軸部径を有しており、
前記第１螺旋ねじ山は、前記第１径に対して第１高さを有しており、
前記第２螺旋ねじ山は第２有効径を有しており、
前記小領域における前記軸部は第２軸部径を有しおり、
前記第２螺旋ねじ山は、前記第２径に対して第２高さを有しており、
前記第３螺旋ねじ山領域は、第３有効径を有する第３螺旋ねじ山を備えており、
前記軸部の前記第３領域は第３軸部径を有しており、
前記第３螺旋ねじ山は、前記第３軸部径に対して第３高さを有しており、
前記頭部は、
円盤と、
切断構造と、を備えており、
前記切断構造は、前記円盤の下面及び前記軸部と交わるように配置されているとともに、前記円盤と交わる４つの壁によって形成される四角形状の断面を有する
留め具。
（項目１７）
各壁は、隣接する壁に対してまっすぐなエッジによって画定される
項目１６に記載の切断構造。
（項目１８）
各壁は、前記軸部と交差する点から前記円盤と交差する点までの間が８分の１回転となるように構成された弓形のエッジによって画定される
項目１６に記載の留め具。
（項目１９）
前記第１有効径と前記第２有効径の比率が１．３〜１．０３の範囲内にあること、
前記第１有効径と前記第３有効径の比率が１．４〜１．０３の範囲内にあること、
前記第１軸部径と前記第２軸部径の比率が１．２５〜１．０２の範囲内にあること、
前記第２軸部径と前記第３軸部径の比率が０．９５〜０．７５の範囲内にあること
のうち少なくとも一つを含む
項目１６に記載の留め具。
（項目２０）
前記下面は、前記円盤より前記下面から離れる方へと伸びる４つのベースエッジをさらに備えており、
前記エッジは、前記壁のうちの一つの中間部に交わる第１端を有しており、
前記ベースエッジは、前記第１端から前記円盤のエッジまで伸びている
項目１６に記載の留め具。